(57)【特許請求の範囲】
【請求項１】
外部端末とデータ通信する通信部と、
画像データをファクシミリ送信するファクシミリ送信部と、
音を出力するスピーカと、
制御部と、
を備え、
前記制御部は、
前記通信部を前記外部端末と接続する接続処理と、
前記接続処理後、前記通信部が前記外部端末からのファックス送信命令を受信したか否かを判断する送信命令判断処理と、
前記送信命令判断処理にて前記通信部がファックス送信命令を受信したと判断した場合に、前記通信部から前記外部端末に、前記外部端末の位置情報を要求する信号を送信する位置情報要求処理と、
前記位置情報要求処理後、前記通信部が受信した前記外部端末の位置情報と自装置の位置情報とから、前記自装置と前記外部端末との距離が所定距離よりも大きいか否かを判定する距離判定処理と、
前記距離判定処理にて前記自装置と前記外部端末との距離が前記所定距離以下と判定された場合に、前記ファクシミリ送信部によるファクシミリ送信の複数の段階毎に応じた音が鳴るように前記スピーカを非ミュート状態で、前記ファクシミリ送信部を用いて、前記ファックス送信命令の該当の宛先に、ファックス送信し、前記距離判定処理にて前記自装置と前記外部端末との距離が前記所定距離よりも大きいと判定された場合に、前記ファクシミリ送信部によるファクシミリ送信の複数の段階毎に応じた音が鳴らないように前記スピーカをミュート状態で、前記ファクシミリ送信部を用いて、前記ファックス送信命令の該当の宛先に、ファックス送信するファックス送信実行処理と、
前記ファックス送信実行処理において前記スピーカがミュート状態にされた後、前記通信部から前記外部端末に、前記ファクシミリ送信部によるファクシミリ送信の複数の段階毎に応じた報知を指示する信号を送信する報知指示処理と、
を有する、ファクシミリ装置。
【請求項２】
請求項１に記載のファクシミリ装置であって、
前記制御部は、
前記ファクシミリ送信部がファクシミリ送信先の機器との接続を開始した段階になった状態で、前記報知指示処理を実行し、前記通信部から前記ファクシミリ送信部と前記機器との接続処理中である旨の報知を指示する信号を送信する、
ファクシミリ装置。
【請求項３】
請求項１または２に記載のファクシミリ装置であって、
前記制御部は、
前記ファクシミリ送信部がファクシミリ送信先の機器と画像データを送信する準備を開始した段階になった状態で、前記報知指示処理を実行し、前記通信部から画像データの送信準備中である旨の報知を指示する信号を送信する、
ファクシミリ装置。
【請求項４】
請求項１〜３のいずれか一項に記載のファクシミリ装置であって、
前記制御部は、
前記ファクシミリ送信部がファクシミリ送信先の機器に画像データの送信を開始した段階になった状態で、前記報知指示処理を実行し、前記通信部から画像データの送信中である旨の報知を指示する信号を送信する、
ファクシミリ装置。
【請求項５】
請求項１〜４のいずれか一項に記載のファクシミリ装置であって、
前記制御部は、
前記ファクシミリ送信部がファクシミリ送信先の機器とのファクシミリ送信を完了した段階になった状態で、前記報知指示処理を実行し、前記通信部からファクシミリ送信が完了した旨の報知を指示する信号を送信する、
ファクシミリ装置。
【発明の詳細な説明】
【技術分野】
【０００１】
本発明は、ファクシミリ装置に関する。
【背景技術】
【０００２】
特許文献１のように、外部端末からの無線通信による指示によってファクシミリ送信を行うファクシミリ装置がある。そのファクシミリ装置は、エラー発生時、ファクシミリ（ファックス）送信の終了時、ファクシミリ受信の開始時および終了時などに、スピーカから報知音を出力する。また、ファクシミリ装置は、ファクシミリ送信中に、スピーカから送信段階に応じた音（たとえば、ＣＮＧ信号音）を出力する。
【先行技術文献】
【特許文献】
【０００３】
【特許文献１】特開２００４−２０９９０７号公報
【発明の概要】
【発明が解決しようとする課題】
【０００４】
外部端末は、ファクシミリ装置の近くに存在することもあれば、ファクシミリ装置から遠い場所に存在することもある。そのため、ファクシミリ送信を指示した使用者は、必ずしもファクシミリ装置の近くにいるとは限らない。ファクシミリ送信を指示した使用者がファクシミリ装置から遠い場所にいる場合、ファクシミリ装置のスピーカから出力される音は、その使用者の耳に届かないので、ファクシミリ装置の周囲にいる者に騒音となるだけである。
【０００５】
本発明の目的は、ファクシミリ送信を指示した使用者が自装置の近くにいない場合に、スピーカからファクシミリ送信の段階を報知する音などが出力されることを抑制できる、ファクシミリ装置を提供することである。
【課題を解決するための手段】
【０００６】
前記の目的を達成するため、本発明の一の局面に係るファクシミリ装置は、外部端末とデータ通信する通信部と、画像データをファクシミリ送信するファクシミリ送信部と、音を出力するスピーカと、制御部と、を備え、制御部は、通信部を外部端末と接続する接続処理と、接続処理後、通信部が外部端末からのファックス送信命令を受信したか否かを判断する送信命令判断処理と、送信命令判断処理にて通信部がファックス送信命令を受信したと判断した場合に、通信部から外部端末に、外部端末の位置情報を要求する信号を送信する位置情報要求処理と、位置情報要求処理後、通信部が受信した外部端末の位置情報と自装置の位置情報とから、自装置と外部端末との距離が所定距離よりも大きいか否かを判定する距離判定処理と、距離判定処理にて自装置と外部端末との距離が所定距離よりも大きいと判定された場合に、スピーカをミュート状態で、ファクシミリ送信部を用いて、ファックス送信命令の該当の宛先に、ファックス送信するファックス送信実行処理と、を有する。
【０００７】
この構成によれば、通信部と接続された外部端末から通信部にファックス送信命令が送信される。通信部が外部端末からのファックス送信命令を受信した場合、通信部から外部端末に、外部端末の位置情報を要求する信号が送信される。その後、外部端末から通信部に外部端末の位置情報が送信される。そして、通信部が受信した外部端末の位置情報と自装置の位置情報とから、自装置と外部端末との距離が所定距離以下であるか否かが判定される。自装置と外部端末との距離が所定距離よりも大きい場合、スピーカがミュート状態にされて、ファックス送信が行われる。
【０００８】
これにより、ファクシミリ送信命令を送信した外部端末がそのファクシミリ装置から所定距離よりも遠く離れている場合は、ファクシミリ送信中に、ファクシミリ送信の段階を報知する音などがスピーカから出力されない。そのため、ファクシミリ送信を指示した使用者（ファクシミリ送信のために外部端末を操作した操作者）がファクシミリ装置の近くにいない場合に、ファクシミリ装置のスピーカから音が出力されることを抑制できる。その結果、スピーカから出力される音がファクシミリ装置の周囲にいる者に騒音となることを抑制できる。
【０００９】
制御部は、ファックス送信実行処理において、距離判定処理にて自装置と外部端末との距離が所定距離以下と判定された場合に、スピーカを非ミュート状態で、ファクシミリ送信部を用いて、ファックス送信命令の該当の宛先に、ファックス送信してもよい。
【００１０】
この構成によれば、ファクシミリ送信要求を送信した外部端末がファクシミリ装置から所定距離内に存在する場合は、ファクシミリ送信の段階に応じた音がスピーカから出力される。この場合、ファクシミリ送信を指示した使用者は、ファクシミリ装置から近い位置にいるので、スピーカから出力される音が聞こえる。そのため、ファクシミリ送信を指示した使用者は、ファクシミリ送信の段階を認識することができる。
【００１１】
制御部は、ファックス送信実行処理においてスピーカがミュート状態にされた後、通信部から外部端末に、ファクシミリ送信部によるファクシミリ送信の複数の段階毎に応じた報知を指示する信号を送信する報知指示処理を有していてもよい。
【００１２】
この構成によれば、ファクシミリ送信命令を送信した外部端末がファクシミリ装置から所定距離よりも遠く離れている場合に、ファクシミリ装置から外部端末に、ファクシミリ送信の複数の段階毎に応じた報知を指示する信号が送信される。この信号を受けて、外部端末がファクシミリ送信の段階を報知することにより、ファクシミリ送信を指示した使用者は、ファクシミリ装置から遠く離れた位置にいても、ファクシミリ送信の複数の段階を認識することができる。
【００１３】
制御部は、ファクシミリ送信部がファクシミリ送信先の機器との接続を開始した段階になった状態で、報知指示処理を実行し、ファクシミリ送信部と機器との接続処理中である旨の報知を指示する信号を、通信部から送信してもよい。
【００１４】
この構成によれば、ファクシミリ送信を指示した使用者は、ファクシミリ装置から遠く離れた位置にいても、ファクシミリ装置とファクシミリ送信先の機器との接続処理中であることを認識できる。
【００１５】
制御部は、ファクシミリ送信部がファクシミリ送信先の機器と画像データを送信する準備を開始した段階になった状態で、報知指示処理を実行し、画像データの送信準備中である旨の報知を指示する信号を、通信部から送信してもよい。
【００１６】
この構成によれば、ファクシミリ送信を指示した使用者は、ファクシミリ装置から遠く離れた位置にいても、ファクシミリ装置が画像データの送信準備中であることを認識できる。
【００１７】
制御部は、ファクシミリ送信部がファクシミリ送信先の機器に画像データの送信を開始した段階になった状態で、報知指示処理を実行し、画像データの送信中である旨の報知を指示する信号を、通信部から送信してもよい。
【００１８】
この構成によれば、ファクシミリ送信を指示した使用者は、ファクシミリ装置から遠く離れた位置にいても、ファクシミリ装置が画像データの送信中であることを認識できる。
【００１９】
制御部は、ファクシミリ送信部がファクシミリ送信先の機器とのファクシミリ送信を完了した段階になった状態で、報知指示処理を実行し、ファクシミリ送信が完了した旨の報知を指示する信号を、通信部から送信してもよい。
【００２０】
この構成によれば、ファクシミリ送信を指示した使用者は、ファクシミリ装置から遠く離れた位置にいても、ファクシミリ装置がファクシミリ送信を完了したことを認識できる。
【発明の効果】
【００２１】
本発明によれば、ファクシミリ送信を指示した使用者がファクシミリ装置の近くにいない場合に、スピーカからファクシミリ送信の段階を報知する音などが出力されることを抑制できる。
【図面の簡単な説明】
【００２２】
【図１】本発明の一実施形態に係るファクシミリ装置及び外部端末の主要構成を示すブロック図である。
【図２Ａ】ＭＦＰにおける音制御処理の流れを示すフローチャート（その１）である。
【図２Ｂ】ＭＦＰにおける音制御処理の流れを示すフローチャート（その２）である。
【図３Ａ】ＦＡＸ送信処理（近距離判定時）の流れを示すフローチャート（その１）である。
【図３Ｂ】ＦＡＸ送信処理（近距離判定時）の流れを示すフローチャート（その２）である。
【図４Ａ】ＦＡＸ送信処理（遠距離判定時）の流れを示すフローチャート（その１）である。
【図４Ｂ】ＦＡＸ送信処理（遠距離判定時）の流れを示すフローチャート（その２）である。
【図５】距離判定処理の流れを示すフローチャートである。
【図６Ａ】外部端末におけるファックス送信指示処理の流れを示すフローチャート（その１）である。
【図６Ｂ】外部端末におけるファックス送信指示処理の流れを示すフローチャート（その２）である。
【図６Ｃ】外部端末におけるファックス送信指示処理の流れを示すフローチャート（その３）である。
【発明を実施するための形態】
【００２３】
以下では、本発明の実施の形態について、添付図面を参照しつつ詳細に説明する。
【００２４】
＜全体構成＞
【００２５】
図１に示されるように、外部端末１０及びファクシミリ装置の一例としてのＭＦＰ（Multi-Function Peripheral）２０は、無線通信により相互に通信可能に接続されている。
【００２６】
外部端末１０は、ＡＳＩＣ１１と、ＲＯＭ１２と、ＲＡＭ１３と、キーボードやポインティングデバイスからなる操作部１４と、液晶ディスプレイなどからなる表示部１５と、無線通信のための通信部１６とを備えている。
【００２７】
また、ＡＳＩＣ１１は、ＣＰＵ１７を内蔵している。ＡＳＩＣ１１には、ＭＦＰ２０との間で送受信される通信データが通信部１６を介して入出力される。
【００２８】
ＣＰＵ１７は、ＡＳＩＣ１１に入力される情報に基づいて、各種の処理のためのプログラムを実行することにより、表示部１５を制御し、通信部１６を介した通信を制御する。
【００２９】
ＲＯＭ１２には、ＣＰＵ１７によって実行されるプログラム及び各種の処理に必要なデータなどが格納されている。
【００３０】
ＲＡＭ１３は、ＣＰＵ１７がプログラムを実行する際のワークエリアとして使用される。
【００３１】
また、外部端末１０は、ＧＰＳ（Global Positioning System）受信機１８を備えている。ＧＰＳ受信機１８は、外部端末１０の位置を複数のＧＰＳ衛星からの電波を受信してそれぞれとの距離を割り出すことにより、現在位置を測定する。
【００３２】
ＭＦＰ２０は、画像形成部２１、画像読取部２２、ファックス送受信部２３、表示部２４及び操作部２５を備えている。
【００３３】
画像形成部２１は、画像データに基づく印刷（カラー印刷又はモノクロ印刷）を実行し、シートに画像を形成する。画像形成の方式は、電子写真方式であってもよいし、インクジェット方式であってもよい。
【００３４】
画像読取部２２は、シートに形成されている画像をシートから読み取り、画像データとして取得する。
【００３５】
ファックス送受信部２３は、電話回線を介した通信を制御し、画像データの送受信を行う。
【００３６】
表示部２４は、例えば、液晶ディスプレイからなる。表示部２４には、各種の設定画面や装置の動作状態など、各種の情報が表示される。
【００３７】
操作部２５は、複数の操作ボタンを備えている。使用者が操作ボタンを操作することにより、各種の指示を入力することが可能である。
【００３８】
また、ＭＦＰ２０は、制御部の一例としてのＡＳＩＣ２６と、ＲＯＭ２７と、ＲＡＭ２８と、無線通信のための通信部２９とを備えている。
【００３９】
ＡＳＩＣ２６は、ＣＰＵ３０を備えている。
【００４０】
ＣＰＵ３０は、各種の処理のためのプログラムを実行することにより、画像形成部２１、画像読取部２２、ファックス送受信部２３及び表示部２４を制御し、通信部２９を介した通信を制御する。
【００４１】
ＲＯＭ２７には、ＣＰＵ３０によって実行されるプログラム及び各種の処理に必要なデータなどが格納されている。
【００４２】
ＲＡＭ２８は、ＣＰＵ３０がプログラムを実行する際のワークエリアとして使用される。また、ＲＡＭ２８は、画像読取部２２により取得された画像データを記憶する。
【００４３】
また、ＭＦＰ２０は、スピーカ３１及びＧＰＳ受信機３２を備えている。
【００４４】
スピーカ３１は、ＡＳＩＣ２６から入力される音信号を音に変換して出力する。また、スピーカ３１には、スピーカのミュートをオン／オフ制御するためのミュート信号がＡＳＩＣ２６から入力される。
【００４５】
ＧＰＳ受信機３２は、ＭＦＰ２０の位置を複数のＧＰＳ衛星からの電波を受信してそれぞれとの距離を割り出すことにより、現在位置を測定する。
【００４６】
＜音制御処理＞
【００４７】
ＭＦＰ２０の電源が投入されている間、ＡＳＩＣ２６のＣＰＵ３０は、図２Ａ及び図２Ｂに示される音制御処理を繰り返し実行する。
【００４８】
音制御処理では、ＣＰＵ３０は、外部端末１０からの接続依頼を受け付けた場合、通信部２９に接続を指示し、外部端末１０との無線通信による接続を確立させる（Ｓ１）。
【００４９】
そして、ＣＰＵ３０は、ＧＰＳ受信機３２を動作させることにより、ＭＦＰ２０の位置情報をＧＰＳ受信機３２から取得する（Ｓ２）。
【００５０】
次に、ＣＰＵ３０は、通信部２９と外部端末１０との接続が確立されているか否かを判断する（Ｓ３）。
【００５１】
通信部２９と外部端末１０との接続が確立されていない場合（Ｓ３：ＮＯ）、すなわち、通信部２９と外部端末１０との接続が解除された場合には、ＣＰＵ３０は、音制御処理を終了する。
【００５２】
通信部２９と外部端末１０との接続が確立されている場合（Ｓ３：ＹＥＳ）、ＣＰＵ３０は、外部端末１０からスタート命令を受信するまで（Ｓ４：ＮＯ）、スタート命令を受信したか否かを判断する（Ｓ４）。スタート命令は、ＭＦＰ２０が備えるファクシミリ送信機能、印刷機能、コピー機能又はスキャナ機能の開始を指示する命令である。
【００５３】
スタート命令を受信した場合は（Ｓ４：ＹＥＳ）、ＣＰＵ３０は、受信したスタート命令がファクシミリ送信機能のスタート命令であるか否かを判断する（Ｓ５）。
【００５４】
受信したスタート命令がファクシミリ送信機能のスタート命令でない場合（Ｓ５：ＮＯ）、ＣＰＵ３０は、受信したスタート命令に係る機能、例えば、印刷機能、コピー機能又はスキャナ機能の処理を実行する（Ｓ６）。
【００５５】
そして、ＣＰＵ３０は、前述したステップＳ３以降の処理を再び実行し、通信部２９と外部端末１０との接続が確立されているか否かを判断する。
【００５６】
受信したスタート命令がファクシミリ送信機能のスタート命令である場合（Ｓ５：ＹＥＳ）、ＣＰＵ３０は、スタート命令の付加指示として、ＭＦＰ２０が備える画像読取部２２を使用して画像データを読み取った後、読み取った画像データをファクシミリ送信するか（以下では、「画像読取部２２を使用したファクシミリ送信」という。）、又は、外部端末１０から画像データを受信し、受信した画像データをファクシミリ送信するか（以下では、「画像データを使用したファクシミリ送信」という。）のいずれが指示されているかを判断する（Ｓ７）。
【００５７】
画像読取部２２を使用したファクシミリ送信が指示されている場合（Ｓ７：ＹＥＳ）、ＣＰＵ３０は、画像読取部２２を用いて原稿のスキャンを実行させ、読み取った画像データをＲＡＭ２８に記憶させる（Ｓ７１）。
【００５８】
そして、画像読取部２２を使用したファクシミリ送信が指示されている場合は、使用者はＭＦＰ２０のすぐ近くにいると考えられるので、ＣＰＵ３０は、ファクシミリ送信の複数の段階に応じた報知音を使用者が聞くことができるように、ファックス送受信部２３のモニタがオンになっていることを確認し、スピーカ３１へのミュート信号をオフにして、スピーカ３１を音が出力される状態にする（Ｓ８）。
【００５９】
Ｇ３ＦＡＸ規格では、ファクシミリ通信の段階を、フェーズＡ、フェーズＢ、フェーズＣ、フェーズＤ及びフェーズＥに分けている。
【００６０】
フェーズＡは、接続処理の段階である。
【００６１】
フェーズＢは、画像信号送受信前の準備確認の段階である。
【００６２】
フェーズＣは、画像信号の送受信の段階である。
【００６３】
フェーズＤは、画像信号送受信後の処理の段階である。
【００６４】
フェーズＥは、切断処理の段階である。
【００６５】
ファックス送受信部２３は、ＡＳＩＣ２６を介して、スピーカ３１に、フェーズＡ、フェーズＢ、フェーズＣ、フェーズＤ及びフェーズＥの各段階において、異なる音を出力させる。これにより、使用者に報知音が聞こえる場合には、ファクシミリ送信がフェーズＡ〜フェーズＥまでのいずれの段階にあるかを認識することができる。
【００６６】
その後、ＣＰＵ３０は、ＦＡＸ送信処理（近距離判定時）を実行する（Ｓ９）。ＦＡＸ送信処理（近距離判定時）の詳細については、後述する。
【００６７】
そして、ＣＰＵ３０は、前述したステップＳ３以降の処理を再び実行し、通信部２９と外部端末１０との接続が確立されているか否かを判断する（Ｓ３）。
【００６８】
画像データを使用したファクシミリ送信が指示されている場合（Ｓ７：ＮＯ）、外部端末１０から画像データを受信する（Ｓ７２）。ＣＰＵ３０は、通信部２９に、外部端末１０の位置情報の問い合わせを外部端末１０に向けて送信させる（Ｓ１０）。
【００６９】
そして、ＣＰＵ３０は、通信部２９が外部端末１０から位置情報を受信するまで（Ｓ１１：ＮＯ）、位置情報を受信したか否かを判断する（Ｓ１１）。
【００７０】
通信部２９が外部端末１０から位置情報を受信した場合（Ｓ１１：ＹＥＳ）、ＣＰＵ３０は、距離判定処理を実行する（Ｓ１２）。距離判定処理では、ＭＦＰ２０から所定距離より遠い位置に外部端末１０が位置していると判定した場合は、距離判定フラグとしてＲＡＭ２８に１が記憶される。また、距離判定処理では、ＭＦＰ２０から所定距離内の位置に外部端末１０が位置していると判定した場合は、距離判定フラグとしてＲＡＭ２８に０が記憶される。距離判定処理の詳細については、後述する。
【００７１】
距離判定処理後、ＣＰＵ３０は、距離判定フラグとしてＲＡＭ２８に１が記憶されているか否かを判断する（Ｓ１３）。
【００７２】
距離判定フラグとしてＲＡＭ２８に１が記憶されている場合（Ｓ１３：ＹＥＳ）、使用者はＭＦＰの比較的遠くにいるので、ファクシミリ送信のフェーズＡ〜フェーズＥに応じた報知音は使用者に聞こえないと考えられる。そのため、ＣＰＵ３０は、スピーカ３１へのミュート信号をオンにし、スピーカ３１をミュート状態にする（Ｓ１４）。
【００７３】
そして、ＣＰＵ３０は、ＦＡＸ送信処理（遠距離判定時）を実行する（Ｓ１５）。ＦＡＸ送信処理（遠距離判定時）の詳細については、後述する。
【００７４】
そして、ＣＰＵ３０は、前述したステップＳ３以降の処理を再び実行し、通信部２９と外部端末１０との接続が確立されているか否かを判断する。
【００７５】
距離判定フラグとしてＲＡＭに０が記憶されている場合（Ｓ１３：ＮＯ）、使用者はＭＦＰの比較的近くにいるので、ファクシミリ送信のフェーズＡ〜フェーズＥに応じた報知音は使用者に聞こえると考えられる。そのため、ＣＰＵ３０は、ファクシミリ送信のフェーズＡ〜フェーズＥに応じた報知者を使用者が聞くことができるように、ファックス送受信部２３のモニタがオンになっていることを確認し、スピーカ３１へのミュート信号をオフにする（Ｓ８）。
【００７６】
そして、ＣＰＵ３０は、ＦＡＸ送信処理（近距離判定時）を実行する（Ｓ９）。
【００７７】
そして、ＣＰＵ３０は、前述したステップＳ３以降の処理を再び実行し、通信部２９と外部端末１０との接続が確立されているか否かを判断する。
【００７８】
＜ＦＡＸ送信処理（近距離判定時）＞
【００７９】
図２ＢのステップＳ９で実行されるＦＡＸ送信処理（近距離判定時）の流れは、図３Ａ及び図３Ｂに示されている。
【００８０】
ＦＡＸ送信処理（近距離判定時）では、ＣＰＵ３０は、まず、ファクシミリ送信におけるフェーズＡの処理を開始する（Ｓ９０１）。
【００８１】
そして、ＣＰＵ３０は、「ダイヤル中」の表示と共に送信先の電話番号を表示部２４に表示させる（Ｓ９０２）。
【００８２】
そして、ＣＰＵ３０は、フェーズＡの処理が完了するまで（Ｓ９０３：ＮＯ）、フェーズＡの処理が完了したか否かを判断する（Ｓ９０３）。
【００８３】
フェーズＡの処理が完了した場合（Ｓ９０３：ＹＥＳ）、ＣＰＵ３０は、ファクシミリ送信におけるフェーズＢの処理を開始する（Ｓ９０４）。
【００８４】
そして、ＣＰＵ３０は、「ＦＡＸ送信準備中」の表示を表示部２４に表示させる（Ｓ９０５）。
【００８５】
そして、ＣＰＵ３０は、フェーズＢの処理が完了するまで（Ｓ９０６：ＮＯ）、フェーズＢの処理が完了したか否かを判断する（Ｓ９０６）。
【００８６】
フェーズＢの処理が完了した場合（Ｓ９０６：ＹＥＳ）、ＣＰＵ３０は、ファクシミリ送信におけるフェーズＣの処理を開始する（Ｓ９０７）。
【００８７】
そして、ＣＰＵ３０は、「ＦＡＸ送信中」の表示を表示部２４に表示させる（Ｓ９０８）。
【００８８】
そして、ＣＰＵ３０は、フェーズＣの処理が完了するまで（Ｓ９０９：ＮＯ）、フェーズＣの処理が完了したか否かを判断する（Ｓ９０９）。
【００８９】
フェーズＣの処理が完了した場合（Ｓ９０９：ＹＥＳ）、ＣＰＵ３０は、ファクシミリ送信におけるフェーズＤの処理を開始する（Ｓ９１０）。
【００９０】
そして、ＣＰＵ３０は、フェーズＤの処理が完了するまで（Ｓ９１１：ＮＯ）、フェーズＤの処理が完了したか否かを判断する（Ｓ９１１）。
【００９１】
フェーズＤの処理が完了した場合（Ｓ９１１：ＹＥＳ）、ＣＰＵ３０は、ファクシミリ受信におけるフェーズＥの処理を開始する（Ｓ９１２）。
【００９２】
そして、ＣＰＵ３０は、フェーズＥの処理が完了するまで（Ｓ９１３：ＮＯ）、フェーズＥの処理が完了したか否かを判断する（Ｓ９１３）。
【００９３】
フェーズＥの処理が完了した場合（Ｓ９１３：ＹＥＳ）、ＣＰＵ３０は、「ＦＡＸ送信完了」の表示を表示部２４に２秒間表示させる（Ｓ９１４）。
【００９４】
２秒間の表示の後、ＣＰＵ３０は、「待機状態」の表示を表示部２４に表示させ（Ｓ９１５）、ＦＡＸ送信処理（近距離判定時）をリターンする。
【００９５】
＜ＦＡＸ送信処理（遠距離判定時）＞
【００９６】
図２ＢのステップＳ１５で実行されるＦＡＸ送信処理（遠距離判定時）の流れは、図４Ａ及び図４Ｂに示されている。
【００９７】
ＦＡＸ送信処理（遠距離判定時）では、ＣＰＵ３０は、ファクシミリ送信におけるフェーズＡの処理を開始する（Ｓ１５０１）。
【００９８】
そして、ＣＰＵ３０は、通信部２９に、フェーズＡに応じた表示を指示する信号を外部端末１０に向けて送信させる（Ｓ１５０２）。
【００９９】
そして、ＣＰＵ３０は、フェーズＡの処理が完了するまで（Ｓ１５０３：ＮＯ）、フェーズＡの処理が完了したか否かを判断する（Ｓ１５０３）。
【０１００】
フェーズＡの処理が完了した場合（Ｓ１５０３：ＹＥＳ）、ＣＰＵ３０は、ファクシミリ送信におけるフェーズＢの処理を開始する（Ｓ１５０４）。
【０１０１】
そして、ＣＰＵ３０は、通信部２９に、フェーズＢに応じた表示を指示する信号を外部端末に向けて送信させる（Ｓ１５０５）。
【０１０２】
そして、ＣＰＵ３０は、フェーズＢの処理が完了するまで（Ｓ１５０６：ＮＯ）、フェーズＢの処理が完了したか否かを判断する（Ｓ１５０６）。
【０１０３】
フェーズＢの処理が完了した場合（Ｓ１５０６：ＹＥＳ）、ＣＰＵ３０は、ファクシミリ送信におけるフェーズＣの処理を開始する（Ｓ１５０７）。
【０１０４】
そして、ＣＰＵ３０は、通信部２９に、フェーズＣに応じた表示を指示する信号を、外部端末に向けて送信させる（Ｓ１５０８）。
【０１０５】
そして、ＣＰＵ３０は、フェーズＣの処理が完了するまで（Ｓ１５０９：ＮＯ）、フェーズＣの処理が完了したか否かを判断する（Ｓ１５０９）。
【０１０６】
フェーズＣの処理が完了した場合（Ｓ１５０９：ＹＥＳ）、ＣＰＵ３０は、ファクシミリ送信におけるフェーズＤの処理を開始する（Ｓ１５１０）。
【０１０７】
そして、ＣＰＵ３０は、フェーズＤの処理が完了するまで（Ｓ１５１１：ＮＯ）、フェーズＤの処理が完了したか否かを判断する（Ｓ１５１１）。
【０１０８】
フェーズＤの処理が完了した場合（Ｓ１５１１：ＹＥＳ）、ＣＰＵ３０は、ファクシミリ送信におけるフェーズＥの処理を開始する（Ｓ１５１２）。
【０１０９】
そして、ＣＰＵ３０は、フェーズＥの処理が完了するまで（Ｓ１５１３：ＮＯ）、フェーズＥの処理が完了したか否かを判断する（Ｓ１５１３）。
【０１１０】
フェーズＥの処理が完了した場合（Ｓ１５１３：ＹＥＳ）、ＣＰＵ３０は、通信部２９に、フェーズＥに応じた表示を指示する信号を外部端末に向けて送信させて（Ｓ１５１４）、ＦＡＸ送信処理（遠距離判定時）をリターンする。
【０１１１】
＜距離判定処理＞
【０１１２】
図２ＢのステップＳ１２で実行される距離判定処理の流れは、図５に示されている。
【０１１３】
距離判定処理では、ＣＰＵ３０は、ＭＦＰ２０の位置情報と外部端末１０の位置情報から、ＭＦＰ２０と外部端末１０との距離を計算する（Ｓ１２０１）。
【０１１４】
そして、ＣＰＵ３０は、外部端末１０がＭＦＰ２０から所定距離内、例えば、３ｍ内にあるか否かを判断する（Ｓ１２０２）。
【０１１５】
外部端末１０がＭＦＰ２０から所定距離内にある場合（Ｓ１２０２：ＹＥＳ）、ＣＰＵ３０は、距離判定フラグとしてＲＡＭ２８に０を記憶させる（Ｓ１２０３）。
【０１１６】
そして、ＣＰＵ３０は、通信部２９に、外部端末１０とＭＦＰ２０との距離が近距離と判定された旨を外部端末１０に向けて送信させ（Ｓ１２０４）、距離判定処理を終了する。
【０１１７】
外部端末１０がＭＦＰ２０から所定距離より遠くにある場合（Ｓ１２０２：ＮＯ）、ＣＰＵ３０は、距離判定フラグとしてＲＡＭ２８に１を記憶させる（Ｓ１２０５）。
【０１１８】
そして、ＣＰＵ３０は、通信部に、外部端末１０とＭＦＰ２０との距離が遠距離と判定された旨を外部端末１０に向けて送信させ（Ｓ１２０６）、距離判定処理を終了する。
【０１１９】
＜ファックス送信指示処理＞
【０１２０】
外部端末１０の電源が投入されている間、ＡＳＩＣ１１のＣＰＵ１７は、図６Ａ、図６Ｂ及び図６Ｃに示されるファックス送信指示処理を繰り返し実行する。ファックス送信指示処理は、ＭＦＰ２０の備える機能を外部端末１０から無線通信により実行するためのアプリケーションプログラムを外部端末１０において起動させることにより、実行される。
【０１２１】
ファックス送信指示処理では、ＣＰＵ１７は、ＭＦＰ２０との接続を通信部１６に指示し、無線通信によりＭＦＰ２０との接続を確立させる（Ｓ２１）。
【０１２２】
そして、ＣＰＵ１７は、アプリケーションプログラムにおいて、ＦＡＸ送信機能が選択されたことを受け付けたか否かを判断する（Ｓ２２）。
【０１２３】
ＦＡＸ送信機能が選択されたことを受け付けていない場合（Ｓ２２：ＮＯ）、ＣＰＵ１７は、ＦＡＸ送信機能以外の他の機能、すなわち、印刷機能、コピー機能又はスキャナ機能が選択されたことを受け付けたか否かを判断する（Ｓ２３）。
【０１２４】
ＦＡＸ送信機能以外の他の機能が選択されたことを受け付けていない場合（Ｓ２３：ＮＯ）、すなわち、いずれの機能も選択されていない場合は、ＣＰＵ１７は、ＭＦＰ２０との接続を通信部１６に切断させて（Ｓ２４）、ファクシミリ送信指示処理を終了する。
【０１２５】
ＦＡＸ送信機能以外の他の機能が選択されたことを受け付けた場合（Ｓ２３：ＹＥＳ）、ＣＰＵ１７は、ＦＡＸ送信機能以外の他の機能の行わせる処理、すなわち、印刷機能が選択されている場合には、画像データの印刷を画像形成部２１に行わせる処理、コピー機能が選択されている場合には、画像読取部２２に画像を読み取らせて、その画像データの印刷を画像形成部２１に行わせる処理、スキャナ機能が選択されている場合には、画像読取部２２に画像を読み取らせる処理を実行する（Ｓ２５）。
【０１２６】
そして、ＦＡＸ送信機能以外の他の機能の行わせる処理が終了した後、ＣＰＵ１７は、前述したステップＳ２２以降の処理を再び実行し、アプリケーションプログラムにおいて、ＦＡＸ送信機能が選択されたことを受け付けたか否かを判断する。
【０１２７】
一方、ＦＡＸ送信機能が選択されたことを受け付けた場合（Ｓ２２：ＹＥＳ）、ＣＰＵ１７は、アプリケーションプログラムにおいて、ＦＡＸ送信開始の指示を受け付けるまで（Ｓ２６：ＮＯ）、ＦＡＸ送信開始の指示を受け付けたか否かを判断する（Ｓ２６）。
【０１２８】
ＦＡＸ送信開始の指示を受け付けた場合（Ｓ２６：ＹＥＳ）、ＣＰＵ１７は、アプリケーションプログラムにおいて、画像読取部２２を使用したファクシミリ送信と画像データを使用したファクシミリ送信のいずれの選択が受け付けられているかを判断する（Ｓ２７）。
【０１２９】
画像読取部２２を使用したファクシミリ送信の選択が受け付けられている場合（Ｓ２７：ＹＥＳ）、ＣＰＵ１７は、通信部に、画像読取部２２を使用したファクシミリ送信の開始の指示をＭＦＰ２０に向けて送信させる（Ｓ２８）。
【０１３０】
そして、ＣＰＵ１７は、画像読取部２２を使用したファクシミリ送信の準備処理を実行する（Ｓ２９）。画像読取部２２を使用したファクシミリ送信の準備処理では、当該ファクシミリ送信が画像読取部２２を使用したファクシミリ装置である旨、送信先の電話番号、送信解像度や送信速度などの情報を通信部１６からＭＦＰ２０に送信する。
【０１３１】
準備処理が完了した後、ＭＦＰ２０では、ファクシミリ送信が開始される。そして、ファクシミリ送信が完了すると、ＭＦＰ２０から外部端末１０に完了が通知される。
【０１３２】
したがって、ＣＰＵ１７は、ファクシミリ送信の完了通知をＭＦＰ２０から受信するまで（Ｓ３０：ＮＯ）、ファクシミリ送信が完了したか否かを判断する（Ｓ３０）。
【０１３３】
ファクシミリ送信が完了した場合（Ｓ３０：ＹＥＳ）、ＣＰＵ１７は、前述したステップＳ２２以降の処理を再び実行し、アプリケーションプログラムにおいて、ＦＡＸ送信機能が選択されたことを受け付けたか否かを判断する。
【０１３４】
一方、画像データを使用したファクシミリ送信の選択が受け付けられている場合（Ｓ２７：ＮＯ）、ＣＰＵ１７は、通信部１６に、ＭＦＰ２０に向けて画像データを送信させ、そして、画像データを使用したファクシミリ送信の開始の指示をＭＦＰ２０に向けて送信させる（Ｓ３１）。
【０１３５】
そして、ＣＰＵ１７は、位置情報の問い合わせをＭＦＰ２０から通信部１６が受信するまで（Ｓ３２：ＮＯ）、ＭＦＰ２０から位置情報の問い合わせを受信したか否かを判断する（Ｓ３２）。
【０１３６】
位置情報の問い合わせを受信した場合（Ｓ３２：ＹＥＳ）、ＣＰＵ１７は、ＧＰＳ受信機１８を動作させることにより、外部端末１０の位置情報をＧＰＳ受信機１８から取得する（Ｓ３３）。
【０１３７】
そして、ＣＰＵ１７は、通信部１６に、取得した位置情報をＭＦＰ２０に向けて送信させる（Ｓ３４）。
【０１３８】
そして、ＣＰＵ１７は、距離判定結果をＭＦＰ２０から通信部１６が受信するまで（Ｓ３５：ＮＯ）、距離判定結果を受信したか否かを判断する（Ｓ３５）。
【０１３９】
距離判定結果を受信した場合（Ｓ３５：ＹＥＳ）、ＣＰＵ１７は、画像データを使用したファクシミリ送信の準備処理を実行する（Ｓ３６）。画像データを使用したファクシミリ送信の準備処理では、当該ファクシミリ送信が画像データを使用したファクシミリ装置である旨、送信する画像データ、送信先の電話番号、送信解像度や送信速度などの情報を通信部１６からＭＦＰ２０に送信する。
【０１４０】
そして、ＣＰＵ１７は、受信した距離判定結果において、ＭＦＰ２０と外部端末１０との距離が遠距離と判定されているか否かを判断する（Ｓ３７）。
【０１４１】
ＭＦＰ２０と外部端末１０との距離が近距離と判定されている場合（Ｓ３７：ＮＯ）、ＣＰＵ１７は、ファクシミリ送信の完了通知を受信するまで（Ｓ３０：ＮＯ）、ファクシミリ送信が完了したか否かを判断する（Ｓ３０）。
【０１４２】
ファクシミリ送信が完了した場合（Ｓ３０：ＹＥＳ）、ＣＰＵ１７は、前述したステップＳ２２以降の処理を再び実行し、アプリケーションプログラムにおいて、ＦＡＸ送信機能が選択されたことを受け付けたか否かを判断する。
【０１４３】
一方、ＭＦＰ２０と外部端末１０との距離が遠距離と判定されている場合（Ｓ３７：ＹＥＳ）、ＣＰＵ１７は、ファクシミリ送信における各フェーズに応じた表示を指示する信号を、ＭＦＰ２０から通信部１６が受信するまで（Ｓ３８：ＮＯ）、表示を指示する信号を受信したか否かを判断する（Ｓ３８）。
【０１４４】
表示を指示する信号を受信した場合（Ｓ３８：ＹＥＳ）、ＣＰＵ１７は、受信した表示の指示がいずれのフェーズに応じた表示の指示であるか否かを判断する（Ｓ３９、Ｓ４１、Ｓ４３、Ｓ４５）。
【０１４５】
受信した表示の指示がフェーズＡに応じた表示の指示である場合（Ｓ３９：ＹＥＳ）、ＣＰＵは、「ダイヤル中」の表示と共に送信先の電話番号を表示部１５に表示させる（Ｓ４０）。
【０１４６】
受信した表示の指示がフェーズＢに応じた表示の指示である場合（Ｓ３９：ＮＯかつＳ４１：ＹＥＳ）、ＣＰＵ１７は、「ＦＡＸ送信準備中」の表示を表示部１５に表示させる（Ｓ４２）。
【０１４７】
受信した表示の指示がフェーズＣに応じた表示の指示である場合（Ｓ４１：ＮＯかつＳ４３：ＹＥＳ）、ＣＰＵ１７は、「ＦＡＸ送信中」の表示を表示部１５に表示させる（Ｓ４４）。
【０１４８】
受信した表示の指示がフェーズＥに応じた表示の指示である場合（Ｓ４３：ＮＯかつＳ４５：ＹＥＳ）、ＣＰＵ１７は、「ＦＡＸ送信完了」の表示を表示部１５に２秒間表示させる（Ｓ４６）。
【０１４９】
２秒間の表示の後、ＣＰＵ１７は、「待機状態」の表示を表示部１５に表示させる（Ｓ４７）。
【０１５０】
そして、ＣＰＵ１７は、前述したステップＳ２２以降の処理を再び実行し、アプリケーションプログラムにおいて、ＦＡＸ送信機能が選択されたことを受け付けたか否かを判断する。
【０１５１】
受信した表示の指示がフェーズＡ、フェーズＢ、フェーズＣ及びフェーズＥのいずれに応じた指示でもない場合（Ｓ４５：ＮＯ）、ＣＰＵ１７は、前述したステップＳ３８以降の処理を再び実行し、ファクシミリ送信における各フェーズに応じた表示の指示を、ＭＦＰ２０から通信部１６が受信するまで（Ｓ３８：ＮＯ）、表示の指示を受信したか否かを判断する（Ｓ３８）。
【０１５２】
＜作用効果＞
【０１５３】
以上のように、ＭＦＰ２０の通信部２９と接続された外部端末１０から通信部２９にファックス送信命令が送信される。通信部２９が外部端末１０からのファックス送信命令を受信した場合、通信部２９から外部端末１０に、外部端末１０の位置情報を要求する信号が送信される。その後、外部端末１０から通信部２９に外部端末１０の位置情報が送信される。そして、通信部２９が受信した外部端末１０の位置情報とＭＦＰ２０の位置情報とから、ＭＦＰ２０と外部端末１０との距離が所定距離以下であるか否かが判定される。ＭＦＰ２０と外部端末１０との距離が所定距離よりも大きい場合、スピーカ３１がミュート状態にされて、ファックス送信が行われる。
【０１５４】
これにより、ファクシミリ送信命令を送信した外部端末１０がそのＭＦＰ２０から所定距離よりも遠く離れている場合は、ファクシミリ送信中に、ファクシミリ送信の段階を報知する音などがスピーカ３１から出力されない。そのため、ファクシミリ送信を指示した使用者（ファクシミリ送信のために外部端末１０を操作した操作者）がＭＦＰ２０の近くにいない場合に、ＭＦＰ２０のスピーカ３１から音が出力されることを抑制できる。その結果、スピーカ３１から出力される音がＭＦＰ２０の周囲にいる者に騒音となることを抑制できる。
【０１５５】
ＣＰＵ３０は、ＭＦＰ２０と外部端末１０との距離が所定距離以下と判定された場合に、スピーカ３１を非ミュート状態で、ファックス送受信部２３を用いて、ファックス送信命令の該当の宛先に、ファックス送信する。
【０１５６】
これにより、ファクシミリ送信要求を送信した外部端末１０がＭＦＰ２０から所定距離内に存在する場合は、ファクシミリ送信におけるフェーズＡ〜フェーズＥの各段階に応じた音がスピーカ３１から出力される。この場合、ファクシミリ送信を指示した使用者は、ＭＦＰ２０から近い位置にいるので、スピーカ３１から出力される音が聞こえる。そのため、ファクシミリ送信を指示した使用者は、ファクシミリ送信の段階を認識することができる。
【０１５７】
ＣＰＵ３０は、スピーカ３１がミュート状態にされた後、通信部２９から外部端末１０に、ファクシミリ送信におけるフェーズＡ〜フェーズＥの各段階に応じた報知を指示する信号を送信する。
【０１５８】
これにより、ファクシミリ送信命令を送信した外部端末１０がＭＦＰ２０から所定距離よりも遠く離れている場合に、ＭＦＰ２０から外部端末１０に、ファクシミリ送信のフェーズに応じた報知を指示する信号が送信される。この信号を受けて、外部端末１０がファクシミリ送信の段階を報知することにより、ファクシミリ送信を指示した使用者は、ＭＦＰから遠く離れた位置にいても、ファクシミリ送信がいずれのフェーズにあるか認識することができる。
【０１５９】
ＣＰＵ３０は、ファックス送受信部２３がファクシミリ送信におけるフェーズＡになった状態で、ファクシミリ送信がフェーズＡにある旨の報知を指示する信号を通信部２９から送信する。
【０１６０】
これにより、ファクシミリ送信を指示した使用者は、ＭＦＰ２０から遠く離れた位置にいても、ファクシミリ送信がフェーズＡにあることを認識できる。
【０１６１】
ＣＰＵ３０は、ファックス送受信部２３がファクシミリ送信におけるフェーズＢになった状態で、ファクシミリ送信がフェーズＢにある旨の報知を指示する信号を通信部２９から送信する。
【０１６２】
これにより、ファクシミリ送信を指示した使用者は、ＭＦＰ２０から遠く離れた位置にいても、ファクシミリ送信がフェーズＢにあることを認識できる。
【０１６３】
ＣＰＵ３０は、ファックス送受信部２３がファクシミリ送信におけるフェーズＣになった状態で、ファクシミリ送信がフェーズＣ又はフェーズＤにある旨の報知を指示する信号を通信部２９から送信する。
【０１６４】
これにより、ファクシミリ送信を指示した使用者は、ＭＦＰ２０から遠く離れた位置にいても、ファクシミリ送信がフェーズＣ又はフェーズＤにあることを認識できる。
【０１６５】
ＣＰＵ３０は、ファックス送受信部２３がファクシミリ送信におけるフェーズＥになった状態で、ファクシミリ送信がフェーズＥにある旨の報知を指示する信号を通信部２９から送信する。
【０１６６】
これにより、ファクシミリ送信を指示した使用者は、ＭＦＰ２０から遠く離れた位置にいても、ファクシミリ送信がフェーズＥにあることを認識できる。
【０１６７】
＜変形例＞
【０１６８】
以上、本発明の実施形態について説明したが、本発明は、他の形態で実施することもできる。
【０１６９】
例えば、前述の実施形態においては、ＧＰＳ受信機１８により外部端末１０の位置情報を取得し、ＧＰＳ受信機３２によりＭＦＰ２０の位置情報を取得した。そして、外部端末１０とＭＦＰ２０との距離を計算した。しかしながら、ＧＰＳ受信機以外の手段を用いて、外部端末１０とＭＦＰ２０との距離を割り出してもよい。例えば、外部端末１０が無線通信によりＭＦＰ２０に接続される場合は、外部端末１０からの電波の強度により外部端末１０とＭＦＰ２０との距離を割り出してもよい。また、外部端末１０が有線通信によりＭＦＰ２０に接続され、外部端末１０の設置位置が固定されている場合は、外部端末１０とＭＦＰ２０との距離情報を予め非図示のＮＶＲＡＭに記憶させておき、外部端末１０のＩＰアドレスから外部端末１０とＭＦＰ２０との距離を割り出してもよい。
【０１７０】
また、ＭＦＰ２０に代えて、ファックス専用機を用いてもよい。
【０１７１】
その他、前述の構成には、特許請求の範囲に記載された事項の範囲で種々の設計変更を施すことが可能である。
【符号の説明】
【０１７２】
１０    外部端末
２０    ＭＦＰ
２３    ファックス送受信部
２６    ＡＳＩＣ
２９    通信部
３０    ＣＰＵ
３１    スピーカ
【図１】
0006421524.tif 000002
【図２Ａ】
0006421524.tif 000003
【図２Ｂ】
0006421524.tif 000004
【図３Ａ】
0006421524.tif 000005
【図３Ｂ】
0006421524.tif 000006
【図４Ａ】
0006421524.tif 000007
【図４Ｂ】
0006421524.tif 000008
【図５】
0006421524.tif 000009
【図６Ａ】
0006421524.tif 000010
【図６Ｂ】
0006421524.tif 000011
【図６Ｃ】
0006421524.tif 000012